(57)【要約】    【課題】  開閉装置に於いて部品点数が少なく、製作コストの低減が図れると共に曲げ剛性が大きく、補強部材による補強を必要なくすると共に、意匠性を向上して製品価値の向上を図る。    【解決手段】  開閉体の少なくとも一部がパネル１６によって構成される開閉装置に於いて、前記パネルを構成するパネル表面材１８、パネル裏面材１９が中空構造を形成する様に合せられ、前記パネル表面材、前記パネル裏面材の上部、下部、中間部の少なくとも３箇所に重合部が形成され、前記パネル表面材、前記パネル裏面材は前記重合部が固着されて一体化された。    【選択図】          図１
2007197928.tif 000002
【特許請求の範囲】
【請求項１】
開閉体の少なくとも一部がパネルによって構成される開閉装置に於いて、前記パネルを構成するパネル表面材、パネル裏面材が中空構造を形成する様に合せられ、前記パネル表面材、前記パネル裏面材の上部、下部、中間部の少なくとも３箇所に重合部が形成され、前記パネル表面材、前記パネル裏面材は前記重合部が固着されて一体化されたことを特徴とする開閉装置。
【請求項２】
前記パネル表面材、前記パネル裏面材のいずれか一方に補強用の突条が形成された請求項１の開閉装置。
【請求項３】
前記パネル表面材に、裏面に向って突出する凸溝、前記パネル裏面材に、表側に向って突出する凸溝が形成され、いずれか一方の凸溝から庇部が延出形成され、該庇部が他方の凸溝に重合して中間部の重合部を形成する請求項１の開閉装置。
【請求項４】
前記庇部はパネル表面材に形成された請求項３の開閉装置。
【請求項５】
前記パネル表面材、前記パネル裏面材の少なくとも一方が凸溝部分で分割された請求項１の開閉装置。
【発明の詳細な説明】
【技術分野】
【０００１】
本発明は、建屋、建築構築物の出入口や乗物、コンテナの出入口等の開口部を開閉する為に設けられる開閉装置、特に開閉体を構成するパネルの構造に関するものである。
【背景技術】
【０００２】
オーバスライディングドア等の開閉装置ではパネルが屈曲自在に連結された開閉体を具備している。
【０００３】
先ず、図９によりオーバスライディングドアについて概略を説明する。
【０００４】
図９中、１は建屋開口部であり、該開口部１の両側柱２及び天井に掛渡ってガイドレール３が設けられ、該ガイドレール３にはローラ（図示せず）を介して開閉体４が摺動自在に設けられている。該開閉体４は、所定数のパネル５が蝶番６を介して屈曲自在に連結され、構成されたものである。
【０００５】
前記開口部１の上方にはワイヤドラム７が回転自在に設けられると共に、バランススプリング８が設けられ、前記ワイヤドラム７に巻設されたワイヤ９が前記開閉体４の下端に係着されている。前記バランススプリング８により前記ワイヤ９を介して前記開閉体４に引上げ方向の力が付勢され、前記バランススプリング８の力と前記開閉体４の重量がバランスして該開閉体４は軽い力で開閉される。開閉は一般的には小型のものでは手動で、大型のものでは電動で行われる。
【０００６】
前記開閉体４を構成するパネル５の構造として、例えば、図１０に示される板材をロール成形して表面材を製作し、表面材の周囲に上辺枠材１０、下辺枠材１１、側辺枠材（図示せず）を取付け、更に幅方向（紙面に対して垂直方向）に所要間隔でパネル補強材１３を取付けたものがある。
【０００７】
斯かるパネル５が使用された開閉体４に於いて、開口部が大きい（開口部の間口が広い）場合、１枚のパネルの長さが断面形状に比べ著しく長くなる。この為、パネル５の曲げ剛性が小さくなり、前記開閉体４に風圧等外力が作用する場合、撓み、場合によっては曲げ変形を生じてしまうことがある。
【０００８】
この為、大開口部に取付けられる開閉装置では、特許文献１に示される様にパネル５の補強をしたものがある。斯かるパネルは、曲げ方向に対する補強構造を具備し、パネル５の下辺枠材１１に室内方向に突出するリブ１４が設けられている（図１０参照）。
【０００９】
上記した従来の開閉装置のパネル構造では、上辺枠材、下辺枠材、側辺枠材、パネル補強材を必要とし、部品点数が多く製作費がコスト高となる。又曲げ剛性が小さく、上記した様に開口部の間口が広い場合は、別途補強部材を必要とし、更に部品点数が増え、コスト高となる。又、パネルの室内側の面（裏面）は、パネル内部が露出し、又補強部材が突出する等、意匠的には好ましいものではなかった。
【００１０】
【特許文献１】特開平１１−２９４０３７号公報
【発明の開示】
【発明が解決しようとする課題】
【００１１】
本発明は斯かる実情に鑑み、部品点数が少なく、製作コストの低減が図れると共に曲げ剛性が大きく、補強部材による補強を必要なくすると共に、意匠性を向上して製品価値の向上を図るものである。
【課題を解決するための手段】
【００１２】
本発明は、開閉体の少なくとも一部がパネルによって構成される開閉装置に於いて、前記パネルを構成するパネル表面材、パネル裏面材が中空構造を形成する様に合せられ、前記パネル表面材、前記パネル裏面材の上部、下部、中間部の少なくとも３箇所に重合部が形成され、前記パネル表面材、前記パネル裏面材は前記重合部が固着されて一体化された開閉装置に係り、又前記パネル表面材、前記パネル裏面材のいずれか一方に補強用の突条が形成された開閉装置に係り、又前記パネル表面材に、裏面に向って突出する凸溝、前記パネル裏面材に、表側に向って突出する凸溝が形成され、いずれか一方の凸溝から庇部が延出形成され、該庇部が他方の凸溝に重合して中間部の重合部を形成する開閉装置に係り、又前記庇部はパネル表面材に形成された開閉装置に係り、更に又前記パネル表面材、前記パネル裏面材の少なくとも一方が凸溝部分で分割された開閉装置に係るものである。
【発明の効果】
【００１３】
本発明によれば、開閉体の少なくとも一部がパネルによって構成される開閉装置に於いて、前記パネルを構成するパネル表面材、パネル裏面材が中空構造を形成する様に合せられ、前記パネル表面材、前記パネル裏面材の上部、下部、中間部の少なくとも３箇所に重合部が形成され、前記パネル表面材、前記パネル裏面材は前記重合部が固着されて一体化されたので、前記パネルが前記パネル表面材、前記パネル裏面材の少ない部品で構成され、而も中空構造であるので、剛性が向上する。
【００１４】
又本発明によれば、前記パネル表面材、前記パネル裏面材のいずれか一方に補強用の突条が形成されたので、部品点数を増やすことなく、パネルの剛性を増大させることができる。
【００１５】
又本発明によれば、前記パネル表面材に、裏面に向って突出する凸溝、前記パネル裏面材に、表側に向って突出する凸溝が形成され、いずれか一方の凸溝から庇部が延出形成され、該庇部が他方の凸溝に重合して中間部の重合部を形成し、又前記庇部はパネル表面材に形成されたので、前記重合部を固定する固着具が表に露出せず意匠性が向上する。
【００１６】
更に又本発明によれば、前記パネル表面材、前記パネル裏面材の少なくとも一方が凸溝部分で分割されたので、分割部分の一部を共用部品とすることが可能であり、パネルの形状変更に対して融通性が増大する等の優れた効果を発揮する。
【発明を実施するための最良の形態】
【００１７】
以下、図面を参照しつつ本発明を実施する為の最良の形態を説明する。
【００１８】
本発明に係る開閉装置は、例えば、図９に示されたオーバヘッドドアに実施されるものであり、オーバヘッドドアの基本的な構造については、図９で示したものと同様であるので、説明を省略する。
【００１９】
図１は本発明に係る開閉装置の開閉体を構成するパネル１６単体の室内側（裏面側）から見た斜視図であり、図２は、前記パネル１６，１６は裏面側に取付けられた蝶番１７により、屈曲自在に連結されている。
【００２０】
図３、図４により第１の実施の形態について説明する。
【００２１】
第１の実施の形態に係るパネル１６は、主にパネル表面材１８とパネル裏面材１９から構成される。
【００２２】
該パネル裏面材１９は板材（帯板材）がロール成形により、所要の形状に成形される。例えば、中央裏面部２０を挾み、台形形状の凸溝２１が２条、表面側に突出成形される。
【００２３】
前記パネル表面材１８も板材（帯板材）がロール成形により、所要の形状に成形される。例えば、中央表面部２６を挾み、台形形状の凸溝２２が２条、裏面側に突出成形される。該凸溝２２，２２は前記凸溝２１，２１に対してそれぞれ上下に位置ズレし、前記凸溝２１の稜線に前記凸溝２２の稜線が合致する様になっており、前記凸溝２１と前記凸溝２２とは略点対称な配置となっている。
【００２４】
前記凸溝２２の上辺には折返し成形によりパネル１６の中心側に延出する庇部２３が形成され、該庇部２３は前記凸溝２１の上辺に合致する様になっている。
【００２５】
前記パネル表面材１８の下端部には凸段差部２４が形成され、該凸段差部２４に連続し、上方に折返し形成された斜面部２５、該斜面部２５に連続し、前記中央表面部２６に平行な下平面部２７が形成される。又、前記パネル表面材１８の上端部には凹段差部２８が形成され、該凹段差部２８に連続し、下方に折返し形成された斜面部２９、該斜面部２９に連続し、前記中央表面部２６に平行な上平面部３１が形成される。
【００２６】
前記パネル表面材１８と前記パネル裏面材１９とを合せると、前記凸溝２１の上面と前記庇部２３とが重合し、又前記下平面部２７が前記パネル裏面材１９の下端部に重合し、前記上平面部３１が前記パネル裏面材１９の上端部と重合する様になっている。
【００２７】
前記庇部２３と前記凸溝２１の上辺とは、前記パネル表面材１８と前記パネル裏面材１９の中間重合部を形成し、該中間重合部をリベット等の固着具により固着し、前記下平面部２７と前記パネル裏面材１９の下端部とは下部重合部を形成し、前記上平面部３１と前記パネル裏面材１９の上端部とは上部重合部を形成し、前記下部重合部、前記上部重合部はそれぞれ、螺子ハトメ３２により幅方向（紙面に対して垂直な方向）に所定間隔で固着される。該螺子ハトメ３２に前記蝶番１７がボルトを介して固着され、該蝶番１７により上下に隣接するパネル１６が連結される。
【００２８】
前記中間重合部のリベットによる固定、前記下部重合部、前記上部重合部の前記螺子ハトメ３２による固定は、リベット、前記螺子ハトメ３２が裏面側のみに露出するので、表面側の意匠性を損うことがない。
【００２９】
尚、前記下平面部２７と前記パネル裏面材１９の下端部、前記上平面部３１と前記パネル裏面材１９の上端部とをそれぞれリベット等の固着具により固定し、前記パネル裏面材１９の下端部、該パネル裏面材１９の上端部とにボルト等の固着具により前記蝶番１７を直接固着する様にしてもよい。
【００３０】
前記パネル表面材１８と前記パネル裏面材１９とが合せられることで、中空閉断面を有する中空構造が形成され、前記パネル１６の断面二次モーメントが大幅に増大し、曲げ剛性が増大する。
【００３１】
前記蝶番１７により前記パネル１６，１６が上下に屈曲自在に連結され、該パネル１６，１６が、真直状態となると、前記凸段差部２４と前記凹段差部２８が嵌合して上下の継目が密閉される。
【００３２】
又、前記パネル１６の表に露出するのは、前記パネル表面材１８のみであり、又裏に露出するものは前記パネル裏面材１９及び前記蝶番１７であるので、意匠性が向上する。又、パネル１６本体を構成するものは、前記パネル表面材１８と前記パネル裏面材１９のみであり、構造が著しく簡潔であり、又部品点数が少ない。
【００３３】
尚、前記パネル表面材１８と前記パネル裏面材１９により形成される中空構造の中空部は、中空であってもよいし、発泡樹脂材が充填される等、他部材によって中実とされていてもよい。
【００３４】
図５により、第２の実施の形態について説明する。
【００３５】
第２の実施の形態では、図３で示した実施の形態中、庇部２３と凸溝２１の重合状態を変更したものであり、該凸溝２１の稜線と凸溝２２の稜線とが合致しない様に位置をずらせたものである。前記凸溝２１の稜線と前記凸溝２２の稜線の位置をずらせることで、稜線を中心とする曲げ剛性が増大する。
【００３６】
図６により、第３の実施の形態について説明する。
【００３７】
第３の実施の形態では、庇部２３を凸溝２２の脚片部から延出させる様に形成したものであり、前記庇部２３は凸溝２１の脚片部に重合し、前記庇部２３と前記凸溝２１の脚片部とがリベット等の固着具により固定される。又、好ましくは前記凸溝２１の稜線と前記凸溝２２の稜線とが位置ズレする様に前記凸溝２１、前記凸溝２２の形状を決定する。前記凸溝２１の稜線と前記凸溝２２の稜線とが位置ズレすることで、稜線を中心とする曲げ剛性が増大する。
【００３８】
図７により、第４の実施の形態について説明する。
【００３９】
第４の実施の形態では、第１の実施の形態に対して、更にパネル１６の曲げ剛性を向上させたものである。
【００４０】
パネル裏面材１９の凸溝２１に隣接させ、断面が台形形状の突条３４を形成したものである。尚、突条が形成されればよく、断面は円、３角、矩形等、外観を考慮して適宜選択されればよい。又、図７では上下に２本の突条３４を形成したが、上下いずれか一方でもよいし、中間部に追加してもよく、前記突条３４の数は前記パネル１６に要求される曲げ剛性によって決めればよい。又、図７では裏面側に突出する様にしているが、パネル表面材１８と前記パネル裏面材１９とが干渉し合わない程度の突出量であれば、表面側と裏面側のどちらに突出させてもよい。
【００４１】
前記突条３４を形成することで、前記パネル１６の断面二次モーメントが増大し、曲げ剛性が増大する。
【００４２】
図８により、第５の実施の形態について説明する。
【００４３】
第５の実施の形態では、パネル表面材１８をパネル上部３５、パネル中央部３６、パネル下部３７の３分割構造としたものであり、図６で示した第３の実施の形態のパネル表面材１８の庇部２３の先端で、該庇部２３を前記パネル中央部３６より延出する庇部２３ａと前記パネル上部３５、前記パネル下部３７より延出する庇部２３ｂとに切離し、前記パネル上部３５、前記パネル中央部３６、前記パネル下部３７とに分割した形状となっている。
【００４４】
前記パネル上部３５、前記パネル中央部３６、前記パネル下部３７は、それぞれ前記庇部２３ａ、前記庇部２３ｂが凸溝２１にリベット等により固定されることで、一体化して前記パネル表面材１８となり、又同時に該パネル表面材１８とパネル裏面材１９とが合体してパネル１６が構成される。
【００４５】
第５の実施の形態では、前記パネル上部３５、前記パネル下部３７が共用部品となり、パネル１６の高さを変更する場合、中央裏面部２０の寸法及び前記パネル中央部３６の寸法を変更することで対応が可能であり、パネル１６の寸法変更に対して融通性が向上する。又、図８では前記パネル裏面材１９を一体のままとしているが、該パネル裏面材１９も前記凸溝２１のリベット固定側の脚片部が重複する様にパネル上部、パネル中央部、パネル下部の３分割構造としてもよい。前記パネル裏面材１９を分割した場合、前記パネル表面材１８は一体であっても分割されていてもよい。
【００４６】
尚、本発明は開閉体の一部がパネルである開閉装置にも実施可能である。又、パネル同士が格納時に分離する開閉体を備えた開閉装置、例えばパネルの両側が垂下されたチェーンに吊下げられ、昇降する形式の開閉装置にも実施可能である。
【００４７】
尚、前記パネル表面材１８と前記パネル裏面材１９により形成される中空構造の中空部は、中空であってもよいし、発泡樹脂材が充填される等、他部材によって中実とされていてもよい。又、前記パネル１６の高さが低い場合は、中間重合部は１箇所であってもよく、高い場合は、３箇所以上あってもよい。又、前記庇部２３は前記パネル裏面材１９に形成されてもよい。更に又、補強用の前記突条３４は前記パネル表面材１８側に形成されてもよい。又、該パネル表面材１８と前記パネル裏面材１９の一方に前記庇部２３を備えた凸溝２１（又は２２）を設け、他方には凸溝２２（又は２１）を設けないで、前記パネル表面材１８と前記パネル裏面材１９とが前記庇部２３で互いに固定される様にしてもよい。又、前記パネル表面材１８と前記パネル裏面材１９の凸溝２１，２２には両方共庇部２３を設けてもよい。この場合は少なくとも一方の庇部２３を用いて前記パネル表面材１８と前記パネル裏面材１９とが互いに固定される様にしてもよい。更に又、前記パネル表面材１８と前記パネル裏面材１９の凸溝２１，２２には両方共庇部２３を設けなくてもよい。この場合は前記凸溝２１，２２同士が接触する部位を用いて前記パネル表面材１８と前記パネル裏面材１９とが互いに固定される様にしてもよい。
【図面の簡単な説明】
【００４８】
【図１】本発明が実施される開閉装置に使用されるパネルを示す斜視図である。
【図２】該パネルの連結状態を示す側面図である。
【図３】本発明の第１の実施の形態に用いられるパネルの側面図である。
【図４】本発明の第１の実施の形態に用いられるパネルの分解側面図である。
【図５】本発明の第２の実施の形態に用いられるパネルの側面図である。
【図６】本発明の第３の実施の形態に用いられるパネルの側面図である。
【図７】本発明の第４の実施の形態に用いられるパネルの分解側面図である。
【図８】本発明の第５の実施の形態に用いられるパネルの分解側面図である。
【図９】本発明が実施される開閉装置の一例を示す斜視図である。
【図１０】従来例のパネルの側面図である。
【符号の説明】
【００４９】
１６            パネル
１７            蝶番
１８            パネル表面材
１９            パネル裏面材
２１            凸溝
２２            凸溝
２３            庇部
３４            突条
３５            パネル上部
３６            パネル中央部
３７            パネル下部
【図１】
2007197928.tif 000003
【図２】
2007197928.tif 000004
【図３】
2007197928.tif 000005
【図４】
2007197928.tif 000006
【図５】
2007197928.tif 000007
【図６】
2007197928.tif 000008
【図７】
2007197928.tif 000009
【図８】
2007197928.tif 000010
【図９】
2007197928.tif 000011
【図１０】
2007197928.tif 000012